(57)【要約】本発明は、改良型ＡＤＳＬを用いたホームオートメーション通信システムに関し、特に、非対称デジタル加入者網（ＡＤＳＬ）を用いたホームオートメーション通信システムにおいて、ホームオートメーションサービスを提供するためのホームオートメーション通信サーバと、ＡＤＳＬ端末器に含まれ、低域信号を通してホームオートメーション制御対象装置と、有、無線方式でデータをやり取りするためのホームオートメーションサービスチャネル手段と、ＡＤＳＬ接続装置に含まれ、低域信号を通して前記ホームオートメーション通信サーバと前記ホームオートメーションサービスチャネル手段とを接続するためのホームオートメーションサービス多重化手段とを含む。
2006502676.tif 000002
【特許請求の範囲】
【請求項１】
非対称デジタル加入者網（ＡＤＳＬ）を用いたホームオートメーション通信システムにおいて、
ホームオートメーションサービスを提供するためのホームオートメーション通信サーバと、
ＡＤＳＬ端末器に含まれ、低域信号を通してホームオートメーション制御対象装置と、有線、無線方式でデータをやり取りするためのホームオートメーションサービスチャネル手段と、
ＡＤＳＬ接続装置に含まれ、低域信号を通して前記ホームオートメーション通信サーバと前記ホームオートメーションサービスチャネル手段とを接続するためのホームオートメーションサービス多重化手段と
を含むことを特徴とする改良型非対称デジタル加入者網（ＡＤＳＬ）を用いたホームオートメーション通信システム。
【請求項２】
前記ホームオートメーションサービスチャネル手段は、
無線ホームネットワーク構成及び無線ホームオートメーションインターフェース機能を果たすための無線ホームオートメーションサービス手段と、
有線ホームネットワーク構成及び有線ホームオートメーションインターフェース機能を果たすための有線ホームオートメーションサービス手段と、
ＡＴＵ-Ｒ（ADSL Termination Unit−Remote）の低域処理部と接続し、メッセージタイプと情報パラメータとを用いて、ホームオートメーションサービスのメッセージフォーマットを形成して送信するか、または送信されたホームオートメーションサービスのメッセージフォーマットからメッセージタイプと情報パラメータとを抽出するためのホームオートメーションサービスフレーマと、
前記ホームオートメーションサービスフレーマから抽出されたメッセージタイプと情報パラメータとを受け取って、ホームオートメーションサービスプロセスを行って、前記無線ホームオートメーションサービス回線手段及び前記有線ホームオートメーションサービス回線手段にホームオートメーションサービス制御情報を送信するためのホームオートメーションサービスエージェントと
を含むことを特徴とする請求項１に記載の改良型非対称デジタル加入者網（ＡＤＳＬ）を用いたホームオートメーション通信システム。
【請求項３】
前記ホームオートメーションサービス多重化手段は、
ＡＴＵ-Ｃ（ADSL Termination Unit−Central）の低域処理部と接続し、低域信号でデータを送受信するための低域フレーム接続手段と、
前記ホームオートメーション通信サーバと接続し、ホームオートメーションサービスプロセスを行って、前記低域フレーム接続手段を通して、前記ＡＤＳＬ端末器内のホームオートメーションサービスチャネル手段と情報とを送受信するためのホームオートメーションサービス処理手段と
を含むことを特徴とする請求項１に記載の改良型非対称デジタル加入者網（ＡＤＳＬ）を用いたホームオートメーション通信システム。
【請求項４】
前記ＡＤＳＬ方式は、二重リンク不連続多重トーン（DLDMT: Dual Link Discrete Multi Tone）方式であることを特徴とする請求項１ないし請求項３の何れか一項に記載の改良型非対称デジタル加入者網（ＡＤＳＬ）を用いたホームオートメーション通信システム。
【請求項５】
前記ＡＤＳＬ方式は、ＡＴＭ（asynchronous transfer mode）方式であることを特徴とする請求項１ないし請求項３の何れか一項に記載の改良型非対称デジタル加入者網（ＡＤＳＬ）を用いたホームオートメーション通信システム。
【請求項６】
ホームオートメーションサービスのための情報送信のために用いられるホームオートメーションサービスプロトコルメッセージ構造において、
１番目と最後のオクテットは、Ｖ５ＥＦ（V５ Envelope Function）フレームの開始と終了を示すフラグ（Ｆｌａｇ）フィールドと、
２、３番目と４、５番目のオクテットは、同じように複製されたＶ５データリンクアドレスフィールドと、
８番目のオクテットは、プロトコル識別子フィールドと、
６、７番目のオクテットは、制御フィールドと、
最後の１番目、最後の２番目のオクテットは、ＬＡＰＤ（Link Access Procedure for the ISDN D channel）プロトコル規定によるＦＣＳ（Frame Check Sequence）フィールドと、
９、１０番目のオクテットは、各メッセージに附与する参照番号であり、そのメッセージの処理が終わるまで有効なホームオートメーションサービス参照番号（HAS Reference Number）フィールドと、
メッセージ識別番号であるホームオートメーションサービスプロトコルのためにホームオートメーション制御命令、ホームオートメーションデータ検索、データ送信、ステータスリポート、自動検針、ホームラジオ、ホームデータ及びホームオートメーション制御を含むホームオートメーションサービスに必要な要求及び応答に対して固有番号を附与するメッセージタイプフィールドと、
特定メッセージタイプに添加して相手側にそのメッセージを処理するのに必要なパラメータや応用サービスデータを収録する他の情報パラメータフィールドと
を含むことを特徴とする請求項１ないし請求項３の何れか一項に記載の改良型非対称デジタル加入者網（ＡＤＳＬ）を用いたホームオート通信システム。
【請求項７】
前記他の情報パラメータフィールドは、
Ｖ５ＥＦその他の情報パラメータの中からホームオートサービス情報を固有に識別するための固有番号である情報パラメータ固有番号フィールドと、
ホームオートサービス情報パラメータの大きさをオクテット単位で示す情報パラメータ長さフィールドと、
サイズが４オクテットであり、ＡＤＳＬ端末器を固有に指定する番号であり、電話番号と１対１で対応するように生成される番号であるユーザーポートＩＤ（ＩＤ）フィールドと、
前記ユーザーポートＩＤフィールドによって指定されたポートのステータスと処理しなければならない作業情報とを示すもので通話中、障害状態、未使用、呼処理中及び試験中を含むステータスと６４Ｋｂｐｓクリア（Clear）チャネル割り当てのためのタイムスロット割り当て、タイムスロット解除を含む作業情報を収録するステータスフィールドと
を含むことを特徴とする請求項６に記載の改良型非対称デジタル加入者網（ＡＤＳＬ）を用いたホームオート通信システム。
【発明の詳細な説明】
【技術分野】
【０００１】
本発明は、改良型ＡＤＳＬを用いたホームオートメーション（Home Automation）通信システムに関する。
【背景技術】
【０００２】
ホームネットワークと通信網とを接続するホームオートメーションサービスが現実的にアクティブされない技術的な理由として、ホームネットワークをインターネットに直接接続するためには、各家庭において固定ＩＰ（Internet Protocol）を割り当て受けなければならず、ＵＤＰ（User Datagram Protocol）、ＴＣＰ（Transmission Control Protocol）／ＩＰ、ＳＮＭＰ（Simple Network Management Protocol）などインターネットサービスに必要なプロトコルを搭載したコンピュータ、または専用サーバが常時動作していなければならないという点を挙げられる。
【０００３】
したがって、一般家庭で消費電力が約３５０Ｗ／ｈであるコンピュータを常時動作させることは電力の浪費である。また、サービス提供者の立場でも固定ＩＰを割り当てなければならないため、限定されているＩＰ資源の効率的な利用を図ることができなくなるという問題点がある。
【０００４】
すなわち、比較的、簡単に住所指定だけで制御可能なホームオートメーションサービスに固定ＩＰを割り当て、複雑な手続きを踏まなければならないことは非効率的である。
【０００５】
そして、従来のＡＤＳＬ（Asymmetric Digital Subscriber Line）通信方式は、音声電話は音声帯域に送信し、インターネット信号のような高速信号は、ＣＡＰ（Carrierless Amplitude Modulation）やＤＭＴ（Discrete Multitone）方式に変調し、音声帯域より高い高周波帯域に移して送信する。特許文献１で用いられた技術である二重リンク不連続多重トーン（Dual Link Discrete Multitone、以下ＤＬＤＭＴとする）方式は、ＡＤＳＬ帯域を低速バンドと高速バンドとに分割し、低速バンド上に６４Ｋｂｐｓで４回線まで送信し、高速バンド上に送信距離４Ｋｍ以内で６Ｍｂｐｓ程度の高速デジタル信号を送信できる。
【０００６】
このような二重トーンからなるＡＤＳＬ方式を、ホームオートシステムに用いると、固定ＩＰを用いたり、コンピュータを常に付けておかなければならないという問題を解決することができ、より簡単に易しく気楽にホームオートシステムを用いることができる。しかし、まだこれに対する研究は成し遂げられてはいない。
【０００７】
また、ＡＤＳＬは、電話線を用いてデータ網に接続できるようにする技術である。今後、多様な形態での変化が予測されるデジタル通信サービスを提供する重要な技術である。このようなＡＤＳＬ応用の目標としては、第１に、従来のＡＤＳＬで適用しているようにイーサネットポートを提供して高速インターネットサービスを提供し、第２に、ＡＤＳＬにデジタル音声チャネルを追加して加入者網の全区間をデジタル化することである。音声電話をデジタル方式で送信することである。最後に、ＡＤＳＬにホームオートメーションチャネルを追加してホームネットワークと通信会社の通信網とを接続するホームオートメーション通信サービスを提供することである。
【０００８】
しかし、現在通信会社によって提供されているＡＤＳＬサービスは、高速インターネット接続サービスだけで、第２の目標であるデジタル音声チャネルは、先行技術であるＤＬＤＭＴを用いた方式とＡＤＳＬフォーラムのＶｏＤＳＬ方式とが研究論議されている。
【０００９】
そして、本発明が関心を持つ領域であるホームオートメーション通信サービスを提供するためには、まず加入者と通信会社との間にデジタル通信チャネルが必要であり、加入者の自宅内のホームオートメーションチャネル終端装置と電話局側のホームオートメーション通信サーバとが相互に連動するメッセージ通信体系が必要である。
【００１０】
本発明は、上述した従来の技術の問題点を解決するためになされたものであって、その目的は、ホームネットワークをインターネット、または電話網に接続して遠隔から家庭内ホームオートメーションシステムを制御するか、またホームネットワークの相互間を接続する改良型ＡＤＳＬを用いたホームオートメーション通信システム、特にＡＤＳＬ信号にホームオートメーションチャネルを含有させ送信して電話番号でホームネットワークを識別し、応用サービスを提供する改良型ＡＤＳＬを用いたホームオートメーション通信システムを提供することにある。
【００１１】
上記目的を達成するため、本発明は、非対称デジタル加入者網（ＡＤＳＬ）を用いたホームオートメーション通信システムにおいて、ホームオートメーションサービスを提供するためのホームオートメーション通信サーバと、ＡＤＳＬ端末器に含まれ、低域信号を通してホームオートメーション制御対象装置と、有、無線方式でデータをやり取りするためのホームオートメーションサービスチャネル手段と、ＡＤＳＬ接続装置に含まれ、低域信号を通して前記ホームオートメーション通信サーバと前記ホームオートメーションサービスチャネル手段とを接続するためのホームオートメーションサービス多重化手段とを含む。
【００１２】
【特許文献１】韓国特許登録２０００−０２８１５７６号明細書
【発明を実施するための最良の形態】
【００１３】
以下、本発明のもっとも好ましい実施の形態を添付図面を参照して説明する。
【００１４】
図１は、本発明に係るＤＬＤＭＴ方式で具現された改良型ＡＤＳＬを用いたホームオートメーション通信システムに対する一実施の形態の構成図である。
【００１５】
ＤＬＤＭＴ方式は、出力信号Ｘ[ｎ]が{ａｋ}信号列と{ｂｋ}信号列との合計からなる。{ａｋ}信号列によって低域信号を送信し{ｂｋ}信号列によって高域信号を送信するという特性を有する。その詳細な内容は式１に示している。
【００１６】
【数１】
2006502676.tif 000003
ＤＬＤＭＴ方式の低域処理部は、送信しようとするＨＡＳチャネル信号を受け取って、{ａｋ}信号列でマッピングした後、ＡＤＳＬ送信部のＩＤＦＴ（inverse discrete Fourier transform）端に送信する。ＡＤＳＬ接続装置には、ＨＡＳ-ＭＵＸを具備してＡＴＵ-Ｒ（ADSL Termination Unit-Remote）のＨＡＳプロトコルメッセージをＶ５インターフェースを介してＶ５インターフェースを支援するホームオートメーション通信サーバに送信する。
【００１７】
さらに詳細には、ＤＬＤＭＴ低域処理部は、ホームオートメーション制御及び応用サービスデータをＶ５.２インターフェースを応用したＨＡＳメッセージフォーマットに送信するために、Ｖ５メッセージフォーマットのホームオートメーションデータを低域フレームのコモンシグナリングチャネル（ＣＳＣ:  common Signaling Channel）に挿入する。別途のクリア（Clear）チャネルが要求されるサービスは、６４Ｋｂｐｓのクリアチャネルである「Ｖｃｈ」チャネルを最大４個まで割り当てて低域フレームを形成した後、これを{ａｋ}信号列にマッピングした後、ＡＤＳＬ送信部のＩＤＦＴ端に送信する。これを具現するために、ＡＤＳＬ端末器にはＨＡＳチャネルモジュールを追加する。ＡＤＳＬ接続装置には、ＨＡＳ-ＭＵＸモジュールを追加して、ホームオートメーション応用サービスを提供するホームオートメーション通信サーバを追加し、ホームオートメーションメッセージはＨＡＳプロトコルによって処理される。
【００１８】
図１に示しているように、本発明に係る改良型ＤＬＤＭＴ方式で具現されたＡＤＳＬを用いたホームオートメーション通信システムは、ユーザ端とサービス提供端とに大きく分れる。
【００１９】
ユーザ端は、またＡＤＳＬ端末器１１と前記ＡＤＳＬ端末器１１とに接続された電話機１３、ホームオートメーション機器１４及びコンピュータ１５などユーザ機器からなる。また、サービス提供端は、ＡＤＳＬ接続装置１２とＩＤＬＣ（Integrated Digital Loop Carrier）交換機１６、ホームオートメーション通信サーバ１７及びインターネット装置１８とを含んで構成される。
【００２０】
本発明に係る改良型ＡＤＳＬを用いたホームオートメーション通信システムのために、図１に示しているように、通常のＡＤＳＬ端末器１１とＡＤＳＬ接続装置１２とにホームオートメーション通信のためのＨＡＳチャネルモジュール１１２とＨＡＳ ＭＵＸモジュール１２２とを追加し、ホームオートメーション機器１４及びホームオートサーバ１７の通信が可能になるようにする。
【００２１】
ＡＤＳＬ端末器１１の構成をさらに詳細に説明すると、ＡＤＳＬ送信部１１５を用いてＡＤＳＬ接続装置１２と電話線とを介して通信し、低域処理部１１４を介して電話機１３をホームオートメーション機器１４と接続し、コンピュータ１５を高域処理部１１６及びＬＡＮ（Local area network）を介して接続するためのＤＬＤＭＴ ＡＴＵ-Ｒ１１３、ＤＬＤＭＴ ＡＴＵ-Ｒ１１３の低域信号のうち音声通話信号を処理して電話機１３に送信し、電話機１３からの音声通話信号をＤＬＤＭＴ ＡＴＵ-Ｒ１１３に送信するＶチャネルモジュール１１１及びＤＬＤＭＴ ＡＴＵ-Ｒ１１３の低域信号のうちホームオートメーション制御信号を処理してホームオートメーション機器１４に送信し、ホームオートメーション機器１４からのホームオートメーション制御信号をＤＬＤＭＴ ＡＴＵ-Ｒ１１３に送信するＨＡＳチャネルモジュール１１２を含む。
【００２２】
そして、ＤＬＤＭＴ ＡＴＵ-Ｒ１１３をさらに詳細に説明すると、ＡＤＳＬ接続装置と接続するためのＡＤＳＬ送信部１１５、Ｖチャネルモジュール１１１とＨＡＳチャネルモジュール１１２とを低域信号で送受信するための低域処理部１１４及びコンピュータ１５のＬＡＮを用いた信号を処理するための高域処理部１１６を含む。
【００２３】
また、ＡＤＳＬ接続装置１２の構成をさらに詳細に説明すると、ＩＤＬＣ交換機１６と接続し、音声信号を処理するＶ５-ＭＵＸモジュール１２１、ホームオートメーション通信サーバ１７と接続してホームオートメーション制御信号を処理するＨＡＳ ＭＵＸモジュール１２２及びＡＤＳＬ端末器１１と電話線とを介して通信して低域信号と高域信号とを分離し、低域信号はＶ５-ＭＵＸモジュール１２１またはＨＡＳ ＭＵＸモジュール１２２との送受信に用いて、高域信号はインターネット装置１８と接続するためのＤＬＤＭＴ ＡＴＵ-Ｃ（ADSL Termination Unit-Central）１２５を含む。
【００２４】
特に、ＡＤＳＬ接続装置１２は、ＡＤＳＬ信号を受け取って、インターネット装置１８、ＩＤＬＣ交換機１６及びホームオートメーション通信サーバ１７に送信する多重化器機能を果たす。
【００２５】
そして、ＤＬＤＭＴ ＡＴＵ-Ｃ１２５をさらに詳細に説明すると、ＡＤＳＬ端末器１１と接続するためのＡＤＳＬ送信部１２４、Ｖ５-ＭＵＸモジュール１２１及びＨＡＳ ＭＵＸモジュール１２２との低域信号に送受信を処理するための低域処理部１２３及びインターネット装置１８と接続し、高域信号を処理するための高域処理部１２５を含む。
【００２６】
図２は、本発明に係るＡＴＭ方式で具現された、改良型ＡＤＳＬを用いたホームオートメーション通信システムに対する一実施の形態の構成図である。
【００２７】
ＡＴＭ高域処理部２１６は、高速イーサネット接続ポートを提供する。ＡＴＭ低域処理部２１４は、Ｖ５メッセージフォーマットのホームオートメーションデータを低域フレームの共通線の信号チャネル（ＣＳＣ: common Signaling Channel）に挿入し、６４Ｋｂｐｓのクリアチャネルである「Ｖｃｈ」チャネルを最大４個まで割り当てて低域フレームを形成した後、これを５３バイトの大きさのＡＴＭセル（Cell）をパック（pack）し、サービス別に指定されたＶＣＩ／ＶＰＩ番号をＡＴＭセルの該当フィールドに表記してＡＤＳＬ送信部のＡＴＭ-ＴＣ（ATM Transmission Convergence）に送信する。
【００２８】
そして、逆にＡＤＳＬ送信部のＡＴＭ-ＴＣは、ＶＣＩ（virtual channel Identifier）／ＶＰＩ（virtual path identifier）番号に応じて、ＡＴＭセルをＡＴＭ低域処理部またはＡＴＭ高域処理部に送信する。そして、ＡＤＳＬ送信部のＩＤＦＴ（inverse discrete Fourier transform）／ＤＦＴ（discrete Fourier transform）端は、ＡＤＳＬ送信部のＡＴＭ-ＴＣからＡＴＭセルを受け取り、ＡＤＳＬサブキャリアを介して対応するＡＤＳＬ送信部のＩＤＥＦ／ＤＥＦ端に送信する。そして、ＡＴＭ低域処理部３５は、ＡＴＭセルからデータ階層信号を抽出するか、またはデータ階層信号をＡＴＭセルで包装する。高域処理部は、ＡＴＭセルからインターネット階層信号を抽出するか、またインターネット階層信号をＡＴＭセルでパックする。
【００２９】
図２に示しているように、本発明に係るＡＴＭ方式で具現された改良型ＡＤＳＬを用いたホームオートメーション通信システムは、ユーザ端とサービス提供端とに大きく分れる。ユーザ端は、またＡＤＳＬ端末器２１と電話機２３、ホームオートメーション機器２４及びコンピュータ２５などからなる。また、サービス提供端は、ＡＤＳＬ接続装置２２と前記ＡＤＳＬ接続装置２２とに接続し、ユーザ端にサービスを提供するためのＩＤＬＣ（Integrated Digital Loop Carrier）交換機２６、ホームオートメーション通信サーバ２７及びインターネット装置２８を含んで構成される。
【００３０】
本発明に係る改良型ＡＤＳＬを用いたホームオートメーション通信システムのために、図２に示しているように、通常のＡＤＳＬ端末器２１とＡＤＳＬ接続装置２２とに、ホームオートメーション通信のためのＨＡＳチャネルモジュール２１２とＨＡＳ ＭＵＸモジュール２２２とを追加し、ホームオートメーション機器２４及びホームオートサーバ２７の通信が可能になるようにする。
【００３１】
ＡＤＳＬ端末器２１の構成をさらに詳細に説明すると、ＡＤＳＬ接続装置２２と電話線とを介して通信し、低域信号と高域信号とを分離して低域信号はＶチャネルモジュール２１１またはＨＡＳチャネルモジュール２１２との送受信に用いて、高域信号はＬＡＮを用いてコンピュータ２５と接続するためのＡＴＭ ＡＴＵ-Ｒ２１３、ＡＴＭ ＡＴＵ-Ｒ１１３の低域信号のうち音声通話信号を処理して電話機２３に送信し、電話機２３からの音声通話信号をＡＴＭ ＡＴＵ-Ｒ２１３に送信するＶチャネルモジュール２１１及びＡＴＭ ＡＴＵ-Ｒ２１３の低域信号のうちホームオートメーション制御信号を処理してホームオートメーション機器２４に送信してホームオートメーション機器２４からのホームオートメーション制御信号をＡＴＭ ＡＴＵ-Ｒ２１３に送信するＨＡＳチャネルモジュール２１２を含む。
【００３２】
そして、ＡＴＭ ＡＴＵ-Ｒ２１３をさらに詳細に説明すると、ＡＤＳＬ接続装置２２と接続するためのＡＤＳＬ送信部２１５、Ｖチャネルモジュール２１１とＨＡＳチャネルモジュール２１２とを低域信号で送受信するための低域処理部２１４及びコンピュータ２５とのＬＡＮを用いた信号を処理するための高域処理部２１６を含む。
【００３３】
また、ＡＤＳＬ接続装置２２の構成をさらに詳細に説明すると、ＩＤＬＣ交換機２６と接続し、音声信号を処理するＶ５-ＭＵＸモジュール２２１、ホームオートメーション通信サーバ２７と接続してホームオートメーション制御信号を処理するＨＡＳ ＭＵＸモジュール２２２及びＡＤＳＬ端末器２１電話線を介して通信して低域信号と高域信号とを分離し、低域信号はＶ５-ＭＵＸモジュール２２１またはＨＡＳ ＭＵＸモジュール２２２との送受信に用いて、高域信号はインターネット装置２８と接続するためのＡＴＭ ＡＴＵ-Ｃ２２６と含む。
【００３４】
特に、ＡＤＳＬ接続装置２２は、様々な加入者からＡＤＳＬ信号を受け取って、インターネット装置２８、ＩＤＬＣ交換機２６及びホームオートメーション通信サーバ２７に送信する多重化器機能を果たす。
【００３５】
そして、ＡＴＭ ＡＴＵ-Ｃ２２６をさらに詳細に説明すると、ＡＤＳＬ端末器２１と接続するためのＡＤＳＬ送信部２２４、Ｖ５-ＭＵＸモジュール２２１とＨＡＳ ＭＵＸモジュール２２２と低域信号とに送受信するための低域処理部２２３及びインターネット装置２８を接続し、高域信号を処理するための高域処理部２２５とを含む。
【００３６】
図３は、本発明に係る改良型ＡＤＳＬを用いたホームオートメーション通信システムにおいて、ＡＤＳＬ端末器でのＨＡＳチャネルモジュールに対する一実施の形態の詳細構成図である。
【００３７】
本発明に係るホームオートメーション通信システムのＡＤＳＬ端末器において、ＨＡＳチャネルモジュール１１２、２１２は、無線ＨＡＳ回線部３０１、有線ＨＡＳ回線部３０２、ＨＡＳエージェント３０３、及びＨＡＳフレーマ（Framer）３０４を含む。
【００３８】
さらに詳細に説明すると、無線ＨＡＳ回線部３０１は、無線ホームネットワーク構成及び無線ホームオートメーションインターフェース機能を果たす。無線ＨＡＳ回線部３０１は、ホームネットワーク及びホームオートメーション対象装置と無線データとを送受信し、無線データからメッセージを抽出してＨＡＳエージェント３０３に送信し、ＨＡＳエージェント３０３は、ホームオートメーションプロトコルによってサービスを制御し、ＨＡＳフレーマ３０４にデータを送信する。そして、無線ＨＡＳ回線部３０１は、エアーインターフェースとしてＴＶ、エアコンなどの制御が容易な赤外線方式、ホームネットワークが容易なホームＲＦ（Radio Frequency）及びブルートゥース技術、広帯域サービス及び小型化が容易なＵＷＢ（Ultra Wideband）技術などを用いることができる。
【００３９】
そして、有線ＨＡＳ回線部３０２は、有線ホームネットワーク構成及び有線ホームオートメーションインターフェース機能を果たす。ホームネットワーク及びホームオートメーション対象装置と制御信号とコンテンツとを送受信し、これらの信号をＨＡＳエージェント３０３に送信する。そして、ＨＡＳエージェント３０３は、ホームオートメーションプロトコルによってサービスを制御し、ＨＡＳフレーマ３０４にデータを送信する。そして、有線ＨＡＳ回線部３０２は、有線インターフェースである家電機器制御が容易なＲＳ-２３２、ホームネットワークが容易なイーサネット、広帯域サービスが容易な光送信及びＰＣ周辺機器の接続が容易なＵＳＢ（Universal Serial Bus）などを提供する。
【００４０】
そして、ＨＡＳエージェント３０３は、ＨＡＳフレーマ３０４からメッセージタイプと情報パラメータとを受け取って、該当プログラムを行い、無線ＨＡＳ回線部３０１及び有線ＨＡＳ回線部３０２にホームオートメーションデータを送信する。そして、無線ＨＡＳ回線部３０１及び有線ＨＡＳ回線部３０２からホームオートメーションデータを受け取ってデータ内容を分析し、電話局側ホームオートメーション通信サーバに送信しなければならないデータは、以下図５に示しているＨＡＳメッセージフォーマットに含まれる情報パラメータフォーマットによってＨＡＳフレーマ３０４に送信する。
【００４１】
そして、ＨＡＳフレーマ３０４は、図５のＨＡＳメッセージフォーマットを形成するか、または逆にＨＡＳメッセージフォーマットからメッセージタイプと情報パラメータとを取り出す。そして、ＨＡＳフレーマ３０４は、ＡＤＳＬ端末器のＡＴＵ-Ｒの低域処理部と接続し、ＨＡＳメッセージを送信する。
【００４２】
そして、ＤＬＤＭＴ ＡＴＵ-Ｒ、Ｃ１１３、１２６にある低域処理部１１４、１２３及びＡＴＭ ＡＴＵ-Ｒ、Ｃ２１４、２２６にある低域処理部２１４、２２３は、３２タイムスロット ２.０４８Ｍｂｐｓ特性のインターフェースを追加し、ＡＤＳＬ端末器１１または２１では、ＨＡＳフレーマ３０４と接続する。
【００４３】
そして、ＤＬＤＭＴ ＡＴＵ-Ｒ１１３にある低域処理部１１４は、最大４個の６４Ｋｂｐｓホームオートメーションメッセージフレーム信号をＤＬＤＭＴの低速信号列にマッピングさせ、逆に低域信号列からホームオートメーションメッセージを抽出してＨＡＳチャネルモジュール１１２に送信する。
【００４４】
そして、ＡＴＭ ＡＴＵ-Ｒ２１４にある低域処理部２１４は、最大４個の６４Ｋｂｐｓホームオートメーションメッセージフレーム信号をＡＴＭセルパケットで包装し、ホームオートメーション通信サービスのためのＶＣＩ／ＶＰＩ番号を指定してＡＤＳＬ送信部２１５に送信し、逆にＡＴＭセルからホームオートメーションメッセージを抽出し、ＨＡＳチャネルモジュール２１２に送信する。
【００４５】
図４は、本発明に係る改良型ＡＤＳＬを用いたホームオートメーション通信システムにおいて、ＡＤＳＬ端末器のＡＤＳＬ接続装置及びホームオートメーション通信サーバに対する一実施の形態の詳細構成図である。
【００４６】
ＨＡＳ-ＭＵＸモジュール１２２または２２２は、ホームオートメーションメッセージフレームをＶ５.１に該当する２.０４８Ｍｂｐｓ級の信号、またはＶ５.２インターフェース及び高速イーサネットでホームオートメーション通信サーバ１７または２７に送信するか、または逆に受信する。
【００４７】
そして、ＨＡＳ-ＭＵＸモジュール１２２または２２２は、低域フレーム接続部及びＨＡＳ処理部を含む。ここで、低域フレーム接続部は、ＤＬＤＭＴ ＡＴＵ-Ｃ１２６及びＡＴＭ ＡＴＵ-Ｃ２２６の低域処理部１２３または２２３と接続される。ＨＡＳ処理部は、ＨＡＳサービスプロセスを行って、以下図５のメッセージフォーマットでホームオートメーション通信サーバ１７または２７またはＡＤＳＬ端末器１１または２１のＨＡＳチャネルモジュール１１２または２１２と低域処理部及びＡＤＳＬ送信部を介してメッセージを通信する。
【００４８】
そして、ホームオートメーション通信サーバ１７または２７は、ホームオートメーションサービス（Home Automation Service :HAS）を受付けて、加入者の電話番号とＡＤＳＬ端末器１１または２１のユーザーポート（User Port）番号、加入者のサービスプロファイルをデータベースに構築して運用し、コンテンツ提供事業者にインターフェースを提供してコンテンツ事業ができるようにする。
【００４９】
このようなホームオートメーション通信サーバ１７または２７は、ＨＡＳ管理者４１、電話応対モジュール４２、インターネット応対モジュール４３及び電話対ユーザーポート表（phone to user port table）４４を含む。
【００５０】
ここで、電話応対モジュール４２は、電話上でホームオートメーションサービスの提供を受けることができる音声案内とＤＴＭＦボタン入力インターフェースとを提供する。インターネット応対モジュールは、インターネット画面上で加入者がホームオートメーションサービスの提供を受けることができるＧＵＩ（Graphic User Interface）を提供する。
【００５１】
そして、ホームオートメーション通信サーバ１７または２７には、ホームオートメーションサービスを総括して運用管理するＨＡＳ管理者４１があって、ＡＤＳＬ端末器１１または１２のＨＡＳエージェント３０３と対応してホームオートメーションサービスプロトコルを行う。
【００５２】
そして、ホームオートメーション通信サーバ１７または２７の電話対ユーザーポート表４４は、ユーザーポートＩＤの生成及び管理を行う。ユーザーポートＩＤは、サイズが４オクテットである。ＡＤＳＬ端末器１１または２１を固有に指定する番号で、電話番号と１対１で対応するように生成する。
【００５３】
図５は、本発明に係る改良型ＡＤＳＬを用いたホームオートメーション通信システムに用いられるＨＡＳプロトコルメッセージフォーマット及びＡＤＳＬ端末器のＨＡＳ情報パラメータに対する一実施の形態の構造図である。
【００５４】
ＨＡＳプロトコルメッセージ構造は、Ｖ５.２インターフェース ＢＣＣプロトコルを変形したものであり、全てのＶ５プロトコルメッセージに共通で適用される形式である。
【００５５】
図５に示しているように、１番目と最後のオクテットは、Ｖ５ＥＦ（V５Envelope Function）フレームの開始と終了を示すフラグ（Flag）である。２、３番目と４、５番目のオクテットは、同じように複製されたＶ５データリンクアドレスであって、ＨＡＳプロトコルのアドレスの値は「１１１１１０００」のように固有に指定して用いる。８番目のオクテットは、プロトコル識別子であり、Ｖ５ＥＦプロトコルの固有番号は、「０１００１００」である。６、７番目のオクテットの制御フィールドとｎ-１、ｎ-２番目のオクテットのＦＣＳ（Frame Check Sequence）フィールドは、ＬＡＰＤ（Link Access Procedure for the ISDN D channel）プロトコル規定に従う。そして、９、１０番目のオクテットのＨＡＳ参照番号（HAS Reference Number）は、各メッセージに附与する参照番号であって、そのメッセージの処理が終わるまで有効である。
【００５６】
１１番目のオクテットは、メッセージタイプフィールドである。そして、メッセージタイプフィールドは、メッセージ識別番号であって、本発明のホームオートメーションサービスプロトコルのためにホームオートメーション制御命令、ホームオートメーションデータ検索、データ送信、ステータスリポート、自動検針、ホームラジオ、ホームデータ及びホームオートメーション制御などホームオートメーションサービスに必要な要求及び応答に対して固有番号を附与する。そして、ＡＤＳＬ端末装置のＨＡＳプロトコルエージェントは、メッセージタイプフィールドによってサービスを行うホームオートメーション装置を指定してホームオートメーション装置が認識できる形態でデータを送信する。
【００５７】
また、他の情報パラメータフィールドは、特定メッセージタイプに添加して相手側にそのメッセージを処理するのに必要なパラメータや応用サービスデータを収録するフィールドなどである。
【００５８】
図５に示している他の情報パラメータフィールドは、情報パラメータＩＤ（Information parameter Identification）、情報パラメータの長さ、ユーザーポートＩＤ、ステータスフィールド、及びＨＡＳデータフィールドを含む。本発明のホームオートメーション通信のための他の情報パラメータの構造であり、Ｖ５ＥＦ ＨＡＳプロトコルメッセージフォーマットの他の情報パラメータに属するものであり、本発明に係るホームオートメーションサービス通信を行うためにメッセージに添付される。
【００５９】
まず、情報パラメータ固有番号は、Ｖ５ＥＦその他の情報パラメータの中からホームオートメーションサービス情報を固有に識別するための固有番号である。
【００６０】
そして、情報パラメータの長さは、本発明で画定したＨＡＳ情報パラメータの大きさをオクテット単位で示すフィールドであり、値は８オクテット以上である。
【００６１】
そして、ユーザーポートＩＤは、サイズが４オクテットであり、ＡＤＳＬ端末器を固有に指定する番号であり、電話番号と１対１で対応するように生成される番号である。図４のホームオートメーション通信サーバの電話対ユーザポート表は、ユーザーポートＩＤの生成及び管理を行う。
【００６２】
そして、ステータスフィールドはユーザーポートＩＤで指定されたポートのステータスと処理しなければならない作業情報とを示すもので、通話中、障害状態、未使用、呼処理中及び試験中などのステータスと６４Ｋｂｐｓクリアチャネル割り当てのためのタイムスロット割り当て、タイムスロット解除などの作業情報を収録する。
【００６３】
図６は、本発明に係る改良型ＡＤＳＬを用いたホームオートメーション通信のサービスの一実施の形態の処理フローチャートである。
【００６４】
まず、ＨＡＳプロトコルメッセージを受信待機して、ホームオートメーションサービス関連メッセージを受信する（６０１）。前記メッセージが受信されると、メッセージタイプフィールドを判読してＨＡＳその他の情報パラメータを該当処理順に送信する。
【００６５】
ホームオートメーション通信サービスの提供を受けようとする個人や電力／ガス会社及びコンテンツ提供事業者は、ホームオートメーション通信サーバに電話やインターネットで接続した後、サービスを選択してホームオートメーション通信対象加入者の電話番号を提示すると、ホームオートメーション通信サーバは加入者の電話番号からユーザポート番号を変換してＨＡＳメッセージ形態でフォーマットしてＡＤＳＬ端末器に送信する。
【００６６】
そして、ＨＡＳメッセージを送信されたＡＤＳＬ端末器は、ＨＡＳメッセージから作業遂行命令とパラメータによって、自動検針、ホームラジオ及びインターホン通信などのサービスを行う。すると、ＡＤＳＬ端末器が結果データをホームオートメーション通信サーバに送信する。
【００６７】
一方、電話網及びインターネットで自動検針要求が発生すると（６０２）電話番号を用いてホームオートメーションユーザポート番号を探し出す（６０３）。ＨＡＳメッセージフォーマットに合うように自動検針要求メッセージを加入者側ＡＤＳＬ端末器に送信する（６０４）。そして、検針に必要な電気検針であるのかガス検針であるのかを指示するパラメータは、他の情報パラメータに挿入する。加入者側ＡＤＳＬ端末は、検針データを受けて（６０５）自動検針器が認識できるデータ信号に有線及び無線方式で検針信号を発生し、その結果をホームオートメーション通信サーバに送信する（６０６、６０７）。
【００６８】
そして、電話網及びインターネットで家電／ガス制御要求が発生すれば（６０８）電話番号を聞いてホームオートメーションユーザポート番号を探し出した後（６０９）、ＨＡＳメッセージフォーマットに合うように家電／ガス制御メッセージを加入者側ＡＤＳＬ端末器に送信する（６１０）。ガスバルブ閉弁、エアコン動作、暖房調節、ＴＶ調節、電気炊飯器調節などを指示するパラメータは、他の情報パラメータに挿入する。加入者側ＡＤＳＬ端末は、家電／ガス制御メッセージを受けて、これらの制御対象機器が認識できるデータ信号に有線及び無線方式で制御信号を発生して、その結果をホームオートメーション通信サーバに送信する（６１１、６１２、６１３）。
【００６９】
ビデオインターホンは、アパート及び一戸建て住宅の出入り口にカメラを設置して訪問客がボタンを押すと、屋内に設置されたビデオインターホン端末器の画面を通して訪問客を確認し、ボタンを押して出入口を開閉する装置である。また、同じアパート団地内では、音声構内電話機能を附与している。ＡＤＳＬ端末器の有線ＨＡＳ回線部、または無線ＨＡＳ回線部とビデオインターホンとを接続させる。電話局側のホームオートメーション通信サーバは、インターネット応対モジュールと電話応対モジュールとがあって、ビデオインターホンと電話、ビデオインターホンとインターネット、ビデオインターホンとビデオインターホンとの間の音声、または画像通話を可能にする。ビデオインターホンを認識する番号は、電話番号から計算されたユーザポート番号を用いる。ビデオホン通信要求メッセージにユーザポート番号及び電話番号を含んで送信する。
【００７０】
そして、電話網及びインターネットでインターホン通信要求が発生すると（６１４）電話番号を用いてホームオートメーションユーザポート番号を探し出した後（６１５）、接続を要求する（６１６）。そして、接続が拒否された場合には（６１７）、拒否された旨のステータスを通知し（６２１）、接続された場合には（６１７）、完了時まで通話を維持する（６１８、６１９、６２０）。
【００７１】
インターネットの発達によって、ＭＰ３利用者が急増しており、デジタル音楽放送局を構築することが容易であり、デジタルラジオチャネルが急増している。電話局側のホームオートメーション通信サーバのホームラジオサービスモジュールで加入者のプロファイルとコンテンツとを管理し、加入者のプロファイルに設定されたコンテンツをＡＤＳＬ端末器に送信する。ＡＤＳＬ端末器は、無線ＨＡＳ回線部を介して自宅内の無線放送信号を伝播する。ここで使用する無線放送技術は、ブルートゥース、ホームＲＦ、無線ＵＷＢなどの自宅内で使用可能な無線資源を用いる。ホームラジオは双方向ラジオであって、送受信機能を兼備しており、ホームラジオで要求する音楽やコンテンツはホームオートメーションメッセージフォーマットにパックされ、ホームオートメーション通信チャネルを経由して電話局側ホームオートメーション通信サーバで受け取って、ホームオートメーション通信サーバはこれをユーザープロファイルに記録し、コンテンツを検索して結果を加入者ＡＤＳＬ端末器を介してホームラジオに送信する。
【００７２】
そして、電話網及びインターネットでホームラジオ要求が発生すると（６２２）電話番号を用いてホームオートメーションユーザポート番号を探し出した後（６２３）、プロファイルを維持するのか否かを確認する（６２４）。次いで、コンテンツを送信するか（６２５）プロファイルを更新する（６２６）。
【００７３】
ホームデータ過程は、ＡＤＳＬ端末器のメモリや補助格納装置、有線ＨＡＳ回線部及び無線ＨＡＳ回線部と接続した装置を対象にデータをリード／ライト（read/write）する過程である。
【００７４】
これを通して、固定ＩＰ（Internet Protocol）無しで加入者がＡＤＳＬ端末器を介してファイル、メッセージ、ソフトウェアなどをアップロードまたはダウンロードできる。そして、ＡＤＳＬ端末器は、ＨＡＳサービス運用に必要な最新のソフトウェアのダウンロードを受けることができ、ホームオートメーション通信サーバは、サービスの追加やアップグレードが必要な場合、リモートダウンロード方式でアップグレードを行う。ＡＤＳＬ端末器は、運用の維持補修に必要なデータをＨＡＳプロトコルメッセージフォーマットに応じてホームオートメーション通信サーバに報告する。ＡＤＳＬ端末器のメモリや補助格納装置をファイルサーバで用いることができるように、データのリード／ライト命令とデータをＨＡＳプロトコルとによって行う。
【００７５】
上述のような本発明の方法は、プログラムで具現されてコンピュータで読み出すことができる形態で、記録媒体（ＣＤ−ＲＯＭ、ＲＡＭ、フロッピー（登録商標）ディスク、ハードディスク、光磁気ディスクなど）に格納され得る。
【００７６】
尚、本発明は、上記した本実施の形態に限られるものではなく、本発明の技術的思想から逸脱しない範囲内で多様に変更が可能であり、それらも本発明の技術的範囲に属する。
【００７７】
従って、本発明によれば、既存電話線上にＡＤＳＬ技術を新しく発展させてデジタル音声チャネル、デジタルホームオートメーション通信チャネル、高速インターネットチャネルを共存するようにするという効果を奏する。
【００７８】
また、本発明は、ホームオートメーションまたはホームネットワーク産業をアクティブにする新しいサービスすなわち、自動検針、家電／ガス制御、ビデオインターホン通信、ホームラジオ、ホームデータサービスなどを手軽に提供できるという効果を奏する。
【図面の簡単な説明】
【００７９】
【図１】本発明に係るＤＬＤＭＴ方式で具現された改良型ＡＤＳＬを用いたホームオートメーション通信システムに対する一実施の形態の構成図である。
【図２】本発明に係るＡＴＭ方式で具現された改良型ＡＤＳＬを用いたホームオートメーション通信システムに対する一実施の形態の構成図である。
【図３】本発明に係る改良型ＡＤＳＬを用いたホームオートメーション通信システムにおいて、ＡＤＳＬ端末器でのＨＡＳチャネルモジュールに対する一実施の形態の詳細構成図である。
【図４】本発明に係る改良型ＡＤＳＬを用いたホームオートメーション通信システムにおいて、ＡＤＳＬ端末器のＡＤＳＬ接続装置及びホームオートメーション通信サーバに対する一実施の形態の詳細構成図である。
【図５】本発明に係る改良型ＡＤＳＬを用いたホームオートメーション通信に用いられるＨＡＳプロトコルメッセージフォーマット及びＡＤＳＬ端末器のＨＡＳ情報パラメータに対する一実施の形態の構造図である。
【図６】本発明に係る改良型ＡＤＳＬを用いたホームオートメーション通信システムの一実施の形態の処理フローチャートである。
【図１】
2006502676.tif 000004
【図２】
2006502676.tif 000005
【図３】
2006502676.tif 000006
【図４】
2006502676.tif 000007
【図５】
2006502676.tif 000008
【図６】
2006502676.tif 000009
【国際調査報告】
2006502676.tif 000010